(57)【特許請求の範囲】
【請求項１】
被検体に印加される静磁場を発生させる静磁場発生手段と、
前記被検体に印加される傾斜磁場を発生させる傾斜磁場発生手段と、
前記被検体に印加される高周波磁場を発生させる高周波磁場発生手段と、
前記傾斜磁場発生手段および高周波磁場発生手段から発生する磁場の制御を行う制御手段と、を具備する磁気共鳴診断装置において、
前記制御手段は、前記傾斜磁場発生手段から発生する傾斜磁場による磁化がｋ空間で多面体の所定の辺上を移動するように制御することにより、前記被検体の所定の３次元の領域に磁気標識を行うことを特徴とする磁気共鳴診断装置。
【請求項２】
前記制御手段は、前記傾斜磁場の制御を行う間、前記高周波磁場発生手段から発生する磁場を所定の強度で維持するように制御することを特徴とする請求項１記載の磁気共鳴診断装置。
【請求項３】
前記制御手段は、前記傾斜磁場発生手段から発生する傾斜磁場による磁化がｋ空間で略立方体の所定の辺上を移動するように制御することを特徴とする請求項１記載の磁気共鳴診断装置。
【請求項４】
前記制御手段は、前記傾斜磁場発生手段から発生する傾斜磁場による磁化がｋ空間で略直方体の所定の辺上を移動するように制御することを特徴とする請求項１記載の磁気共鳴診断装置。
【請求項５】
前記制御手段は、前記磁化が前記ｋ空間で前記所定の辺のうち少なくとも一辺を複数回移動するように、前記傾斜磁場発生手段から発生する傾斜磁場を制御することを特徴とする請求項３又は４記載の磁気共鳴診断装置。
【請求項６】
被検体に印加される静磁場を発生させる静磁場発生手段と、
前記被検体に印加される傾斜磁場を発生させる傾斜磁場発生手段と、
前記被検体に印加される高周波磁場を発生させる高周波磁場発生手段と、
前記傾斜磁場発生手段および高周波磁場発生手段から発生する磁場の制御を行う制御手段と、を具備する磁気共鳴診断装置において、
前記制御手段は、ｋ空間での磁化が多面体の所定の辺上を移動するように前記傾斜磁場発生手段および前記高周波磁場発生手段を制御することを特徴とする磁気共鳴診断装置。
【発明の詳細な説明】
【０００１】
【発明の属する技術分野】
本発明は、磁気共鳴診断装置に関する。
【０００２】
【従来の技術】
近年、磁気共鳴診断装置（以下MRI装置と呼ぶ）を用いた撮影において、心臓などの動きのある臓器や血流などを可視化するために、磁気標識撮影法（Tagging法）と呼ばれる撮影方法が使われている。この方法は、被検体の撮影領域のうち一部分の領域（一般的には帯状もしくは線状）にのみ高周波磁場を送信し、磁気的に飽和させることにより、その帯状もしくは線状の領域から磁気共鳴信号（以下MR信号と呼ぶ）が発生しないようにした上で、前記撮影領域に高周波磁場、傾斜磁場等を印加することにより、撮影を行う方法である。なお、以下、撮影に先だって撮影領域の一部の領域に高周波磁場を印加し、前記一部の領域を磁気的に飽和させることを磁気標識と呼ぶ。
【０００３】
磁気標識された領域は、撮影時においても、ＭＲ信号が発生しない、あるいは弱くしか発生しないため、後に再構成された画像上では、無信号あるいは低信号として表示される。この無信号あるいは低信号の表示は、磁気標識された領域が動きの少ない領域であった場合には、そのまま帯状もしくは線状として表示されるが、磁気標識された領域が動きのある領域であった場合には、画像上では、ずれて表示されることになる。このずれは、磁気標識を行ってから撮影の間に移動した移動量によって異なる。したがって、速い動きの領域に、磁気標識を行うと、画像上でのずれも大きくなり、動きが可視化でき、さらにその移動量を算出することも可能となる。
【０００４】
なお、この種の磁気標識としては、特開平１−４７９１２号公報、L.  Axel等のRadiology,  Vol.171,  P.841-845(1989)、W.  Kerwin等のJournal  of  Magnetic  Resonance,  Vol.142,  p.313-322  (2000)に記載されている。
【０００５】
【発明が解決しようとする課題】
しかしながら、いずれの従来技術も、磁気標識を２次元的に行うものであり、臓器等の３次元の動きに対しては可視化あるいは移動量の算出等の定量測定などを行うことが困難であった。
ここで、３次元領域の磁気標識の重要性について記載すると、例えば心臓の収縮拡張動作は、その各組織が、２次元上の平面を移動するのではなく、３次元上の空間を移動することにより、行われている。このように、心臓の各組織が３次元的な動きをすることにより、心臓全体としては、ねじれを伴うような収縮拡張が行われる。
【０００６】
このように、３次元的な動きを可視化あるいはその動きを定量的に扱うためには、３次元領域の磁気標識を行うことが非常に重要である。また、これは、心臓の動きに限らず、この他の臓器および血液等においても同様である。
そこで、本発明は上記課題を解決し、より柔軟に臓器の動きや血液の流れ等を観察することのできるＭＲＩ装置を提供することを目的する。
【０００７】
【課題を解決するための手段】
上述の課題を解決するため、請求項１に記載の発明は、被検体に印加される静磁場を発生させる静磁場発生手段と、前記被検体に印加される傾斜磁場を発生させる傾斜磁場発生手段と、前記被検体に印加される高周波磁場を発生させる高周波磁場発生手段と、前記傾斜磁場発生手段および高周波磁場発生手段から発生する磁場の制御を行う制御手段と、を具備する磁気共鳴診断装置において、前記制御手段は、前記傾斜磁場発生手段から発生する傾斜磁場による磁化がｋ空間で多面体の所定の辺上を移動するように制御することにより、前記被検体の所定の３次元の領域に磁気標識を行うことを特徴とする。
また請求項６に記載の発明は、被検体に印加される静磁場を発生させる静磁場発生手段と、前記被検体に印加される傾斜磁場を発生させる傾斜磁場発生手段と、前記被検体に印加される高周波磁場を発生させる高周波磁場発生手段と、前記傾斜磁場発生手段および高周波磁場発生手段から発生する磁場の制御を行う制御手段と、を具備する磁気共鳴診断装置において、前記制御手段は、ｋ空間での磁化が多面体の所定の辺上を移動するように前記傾斜磁場発生手段および前記高周波磁場発生手段を制御することを特徴とする。
【０００８】
【発明の実施の形態】
以下、本発明に係る第１の実施の形態について、図面を参照して詳細に説明する。図１は第１の実施の形態におけるＭＲＩ装置の概略構成を示すブロック図である。円筒状のガントリ２０内には静磁場磁石１、Ｘ軸・Ｙ軸・Ｚ軸傾斜磁場コイル２、及び送受信コイル３が設けられている。なお、ここで、Ｚ軸は、円筒の長手中心線に一致し、またＸ軸は水平方向、Ｙ軸は垂直方向とする。
静磁場発生装置としての静磁場磁石１は、例えば超電導磁石を用いて構成され、例えば１．５Ｔの磁場を被検体Ｐに印加する磁石である。Ｘ軸・Ｙ軸・Ｚ軸傾斜磁場コイル２は、静磁場磁石１の内側に配置され、円筒状のアセンブリをなし、それぞれＸ軸傾斜磁場、Ｙ軸傾斜磁場、Ｚ軸傾斜磁場を発生するものである。なお、それぞれのアセンブリの形状、タイプは限定されない。送受信コイル３は、傾斜磁場コイル２の内側に配置され、例えば円筒状をなし、高周波磁場を発生させ、あるいは磁気共鳴により発生したＭＲ信号を検出するものである。なお、寝台１３は、天板を有しており、天板上に載置された被検体Ｐは、ガントリ２０内の撮影空間（イメージング用磁場が形成される球状の領域）に挿入される。
【０００９】
また、Ｘ軸・Ｙ軸・Ｚ軸傾斜磁場コイル２は、Ｘ軸傾斜磁場電源７、Ｙ軸傾斜磁場電源８、Ｚ軸傾斜磁場電源９を介して、制御部１１に接続されている。
なお、Ｘ軸傾斜磁場電源７、Ｙ軸傾斜磁場電源８、Ｚ軸傾斜磁場電源９は、Ｘ軸・Ｙ軸・Ｚ軸傾斜磁場コイル２から磁場を発生させる際に必要な電力を供給するものであり、その電力の大きさ（磁場の強さ）、電力供給のタイミング（磁場の印加タイミング）等に関しては制御部１１からの制御信号により制御されている。
【００１０】
また、送受信コイル３は、送信器５および受信器６を介して、制御部１１に接続されている。送信器５は、被検体Ｐに送受信コイル３から高周波磁場を送信する際に駆動され、また受信器６は、被検体Ｐから送受信コイル３を介してＭＲ信号を検出する際に駆動されるものである。
また、制御部１１には、表示部１２が接続されており、表示部１２において被検体ＰのＭＲ画像が表示される。
以下、本実施の形態におけるＭＲＩ装置の動作について説明する。
操作者は、所定の操作により、磁気標識撮影法を用いることを、入力部１０を介して、制御部１１に入力した後、被検体Ｐをガントリ２０内の撮影領域に挿入する。前記所定の指示があった場合、制御部１１は、所定のメモリ（図示しない）から磁気標識撮影法に使用されるプログラムを読み出す。このプログラムには、前記磁気標識を行うための磁気標識のための制御信号の情報や、磁気標識および撮影に関する手順が記述されており、このプログラムに基づいて、送信器５およびＸ軸傾斜磁場電源７、Ｙ軸傾斜磁場電源８、Ｚ軸傾斜磁場電源９にそれぞれ所定の制御信号（以下パルスシーケンスと呼ぶ）が送信する。なお、パルスシーケンスについては詳しく後述する。また、このプログラムに関しては、ＭＲＩ装置出荷時に、予めインストールされていても良いし、必要に応じて、インターネット等の通信回線を通して、ＭＲＩ装置出荷後にインストールされるものであっても良い。前記所定のパルスシーケンスにより、Ｘ軸・Ｙ軸・Ｚ軸傾斜磁場コイル２及び送受信コイル３は、Ｘ軸、Ｙ軸、Ｚ軸傾斜磁場および高周波磁場を発生させる。
また、送受信コイル３は、被検体ＰからＭＲ信号を受信し、受信器６を介して、制御部１１に受信信号が送られる。制御部１１では、所定の信号処理を施すことにより、被検体Ｐの断層像を生成し、表示部１２で表示する。
【００１１】
以下、本実施の形態における磁気標識撮影法を用いたパルスシーケンスについて説明する。
磁気標識撮影法は、上述のように、被検体Ｐの撮影領域のうち一部分の領域にのみ高周波磁場を送信することにより磁気的に飽和させた後、撮影を行う方法である。なお、ここでは、特に撮影領域の一部を磁気飽和させるためのパルスシーケンスを磁気標識のための制御信号と、磁気標識のための制御信号の送信後、撮影領域を撮影するために送信するパルスシーケンスを撮影パルスシーケンスと呼ぶ。
【００１２】
図２は、送信器５およびＸ軸傾斜磁場電源７、Ｙ軸傾斜磁場電源８、Ｚ軸傾斜磁場電源９にそれぞれ送信される制御信号のタイミングを示したグラフである。なお、図２の横軸は時間、縦軸は制御信号の大きさを示している。また、図２に示されたRFは、送信器５に送られる磁気標識のための制御信号、Gx、Gy、GzはそれぞれＸ軸傾斜磁場電源７、Ｙ軸傾斜磁場電源８、Ｚ軸傾斜磁場電源９に送られる磁気標識のための制御信号（Ｘ軸磁気標識のための制御信号、Ｙ軸磁気標識のための制御信号、Ｚ軸磁気標識のための制御信号）である。また、各傾斜磁場電源に送信される磁気標識のための制御信号の大きさのうち、「プラス」方向はそれぞれの各軸方向（例えば、Ｘ軸磁気標識のための制御信号の場合は、Ｘ軸方向がプラス）、「マイナス」方向は、それぞれの各軸と反対の方向（例えば、Ｘ軸磁気標識のための制御信号の場合は、Ｘ軸方向と反対の方向がマイナス）であるとする。
【００１３】
本実施の形態の磁気標識のための制御信号は、RFパルスが所定の強度で送信されている間に、Ｘ軸磁気標識パルス、Ｙ軸磁気標識パルス、Ｚ軸磁気標識パルスを合わせて５回送信するものである。上述の５回の各傾斜磁場電源に送信される磁気標識パルスを順に示すと、まず時間T1〜T2の間はＹ軸磁気標識パルスを所定の大きさプラスに、次に、所定の時間経過後T3〜T4の間はＸ軸磁気標識パルスを所定の大きさプラスに、続いて時間T5〜T6の間はＺ軸磁気標識パルスを所定の大きさマイナスに、時間T7〜T8の間はＹ軸磁気標識パルスを所定の大きさマイナスに、時間T9〜T10の間はＺ軸磁気標識パルスを所定の大きさプラスに印加する。なお、各傾斜磁場に送信される磁気標識パルスの大きさは、それぞれ全て略同じであり、また各パルスは時間的に略等間隔で印加（例えばT2〜T3とT4〜T5は同じ間隔）され、かつ各パルスの印加時間もそれぞれ略同じ長さ（例えばT1〜T2とT3〜T4は同じ長さ）である。
【００１４】
このような磁気標識のための制御信号下におけるｋ空間の状態を図３に示す。図３では、磁化Ｍが、時間T1からT2にかけてky方向に、時間T3からT4にかけてkx方向に、時間T5からT6にかけて-kz方向に、時間T7からT8にかけて-ky方向に、時間T9からT10にかけてkz方向に、移動している。なお、図３では、磁化Ｍの軌跡は太矢印で示されている。
つまり、ｋ空間で磁化Ｍは、３次元である立方体の辺上を移動することになり、これは３次元の磁気標識が行われたことを意味している。
【００１５】
また、上述のパルスシーケンスにより、磁気標識（励起）される磁化Ｍの実空間での強度分布を図４に示す。なお、図４は、磁化Ｍの挙動を下記のＢＬＯＣＨ方程式を用いて算出したものである。
【００１６】
【数１】
0004176989.tif 000002
ここで、Mは磁化、Hは磁場、i,  j,  kはそれぞれx,  y,  z方向の単位ベクトル、Mx,  My,  Mzは磁化のx,  y,  z成分、M0は磁化の初期値、T1,  T2
はそれぞれ縦緩和時間、横緩和時間を示している。また、図４（ａ）は、Ｘ−Ｙ断面、図４（ｂ）は、Ｙ−Ｚ断面、図４（ｃ）は、Ｘ−Ｚ断面であり、磁化Ｍの強度を等高線で示している。なお、図５は、特にＸ−Ｙ断面の強度分布を立体的に示したものである。図５から明らかなように、中央部に最も強度の低い（励起された）部分があり、この中央部分に対して、ｘ方向、ｙ方向それぞれ所定の間隔で強度の低い部分が繰り返し存在している。
【００１７】
この繰り返しピッチは、ｋ空間で磁化Ｍが描く軌跡が大きくなるほど、狭くなる。つまり、傾斜磁場パルスの大きさを大きくすると、繰り返しピッチが狭くなり、励起される領域も小さくなる。また、逆にｋ空間で磁化Ｍが描く軌跡を小さくするほど、繰り返しピッチは広くなり、励起される領域も広くなる。
上述のような磁気標識のための制御信号を送信器５および各傾斜磁場電源７乃至９に送信した後、撮影パルスシーケンスを送信する。これにより、磁気標識が行われた部分を区別して、撮影を行うことが可能である。なお、撮影パルスシーケンスに関しては、３次元データを収集するマルチスライス法や３Ｄボリューム撮像法などが好ましいが、スピンエコー（ＳＥ）法、グラディエントエコー（ＧＲＥ）法、ファーストスピンエコー（ＦＳＥ）等であっても良い。
【００１８】
本実施の形態では、磁気標識を行う方法として、ｋ空間での磁化の軌跡が立方体上の各面における４辺のうち少なくとも１辺を通るように、磁気標識のための制御信号を印加したことにより、球形に近い３次元の領域を磁気標識することが可能である。また、磁気標識における各傾斜磁場パルスの大きさ、印加時間が同じであるため、制御が容易である。また、磁気標識中におけるＲＦパルスは、略一定強度を維持することにより、ＲＦパルスを印加するタイミングを行う手段が必要ないため、より制御が容易なものとなる。
【００１９】
以下、本発明に係る第２の実施の形態について、図面を参照して説明する。本実施の形態は、第１の実施の形態と磁気標識のための制御信号が異なるものである。図６は、本実施の形態における磁気標識のための制御信号を示したグラフである。なお、記号等の詳しくは、図２と同じであるため、ここでは省略する。
本実施の形態の磁気標識のための制御信号は、RFパルスが所定の強度で送信されている間に、Ｘ軸磁気標識のための制御信号、Ｙ軸磁気標識のための制御信号、Ｚ軸磁気標識のための制御信号を合わせて１１回送信するものである。
【００２０】
上述の１１回の各傾斜磁場電源に送信される磁気標識のための制御信号を順に示すと、まず時間T1〜T2の間はＹ軸磁気標識パルスを所定の大きさプラスに、次に、所定の時間経過後T3〜T4の間はＸ軸磁気標識パルスを所定の大きさプラスに、続いて時間T5〜T6の間はＺ軸磁気標識パルスを所定の大きさマイナスに、時間T7〜T8の間はＹ軸磁気標識パルスを所定の大きさマイナスに、時間T9〜T10の間はＺ軸磁気標識パルスを所定の大きさプラスに、時間T11〜T12の間はＸ軸磁気標識パルスを所定の大きさマイナスに、時間T13〜T14の間はＺ軸磁気標識パルスを所定の大きさマイナスに、時間T15〜T16の間はＹ軸磁気標識パルスを所定の大きさプラスに、時間T17〜T18の間はＸ軸磁気標識パルスを所定の大きさプラスに、時間T19〜T20の間はＺ軸磁気標識パルスを所定の大きさプラスに、時間T21〜T22の間はＹ軸磁気標識パルスを所定の大きさマイナスに、印加する。なお、各傾斜磁場の磁気標識パルスの大きさ、各パルスの間隔および各パルスの印加時間は、第１の実施の形態と同様である。
【００２１】
このような磁気標識のための制御信号下におけるｋ空間の状態を図７に示す。図７では、磁化Ｍが、時間T1からT22までの間のうち、T1からT12の間で、立方体の所定の辺上を移動し、ｋ空間で元の位置に戻った状態（１周した状態）となっている。また、磁化Ｍの軌跡は、T5〜T6とT19〜T20で立方体状の同一の辺を移動している。なお、図７において、１周目の軌跡は先端の太い矢印で、２周目の軌跡は先端の細矢印で示されている。
【００２２】
また、図８は、第１の実施の形態と同様、磁化Ｍの挙動を下記のＢＬＯＣＨ方程式を用いて算出したものである。
また、その他の構成、動作に関しては、第１の実施の形態と同様であるため、ここでは省略する。
本実施の形態では、第１の実施の形態と同様、磁気標識を行う方法として、磁化のｋ空間での軌跡が３次元となるように傾斜磁場パルスを印加したことにより、３次元の磁気標識が可能である。また、第１の実施の形態と同様、磁気標識における各傾斜磁場パルスの大きさ、印加時間が等間隔であるため、制御が容易である。
【００２３】
また、第１の実施の形態と同様、磁気標識中におけるＲＦパルスは、略一定強度を維持することにより、ＲＦパルスを印加するタイミングを行う手段が必要ないため、より制御が容易なものとなる。
また、特に、本実施の形態では、磁化Ｍの軌跡は、ｋ空間において立方体の全ての頂点を少なくとも１度は通っており（１周している）、このように、磁化Ｍを３次元空間でより多く移動させることにより、第１の実施の形態における磁化の強度分布と比較して、本実施の形態における磁化の強度分布を各断面共に円形に近づけさせることが可能である。つまり、励起領域の扁平度を下げ、より球体に近づけることが可能である。なお、励起領域が球体に近いほど、どの断面においても均等に磁気標識を行っていることになり、望ましい形態である。また、一方で、第１の実施の形態においては、ｋ空間において磁化Ｍが重複しないように、かつ、３次元の軌跡を描くことにより、より短いパルスシーケンスで３次元磁気標識が可能となり、息止め等が必要な撮影において効果的である。
【００２４】
以下、本発明に係る第３の実施の形態について、図面を参照して説明する。本実施の形態は、磁気標識のための制御信号におけるそれぞれのパルスの印加量を変化させることができる点で第１の実施の形態と異なるものである。ここで、パルスの印加量とは、パルスの大きさと時間の積である。
具体的な構成としては、図１に示された制御部１１内に磁気標識を行う際の傾斜磁場パルスの大きさを変化させる手段（図示しない）が設けられている。図９は、本実施の形態における磁気標識のための制御信号を示したグラフである。なお、記号等の詳しくは、図２と同じであるため、ここでは省略する。
【００２５】
図１０は、本実施の形態におけるｋ空間の状態を示した図である。操作者は、入力部１０を介して、磁化の軌跡がｋ空間で描く軌跡の形状を入力する。なお、デフォルト値として、立方体、直方体、球体、およびその他の多面体から選択が可能である。なお、以下、ｋ空間において磁化の軌跡が直方体となるような形状が選択されたものとして説明する。
操作者から前記形状が入力されると、制御部１１により、図９に示される磁気標識のための制御信号が印加される。本実施の形態の磁気標識のための制御信号は、磁化がｋ空間で直方体の軌跡を描くように、Ｘ軸磁気標識のための制御信号、Ｙ軸磁気標識のための制御信号、Ｚ軸磁気標識のための制御信号のうち、Ｙ軸磁気標識のための制御信号のパルスの大きさが異なっている。本実施の形態におけるＹ軸磁気標識のための制御信号のパルスの大きさは、時間T1からT2までに送信されるパルス、時間T7からT8まで送信されるパルスともに、他のパルスに比べて大きいため、ｋ空間において、磁化の軌跡は図１０に示されるように、kx、kz方向には同じ長さ、ky方向には、kx方向の長さに比べて長い軌跡を描く。
【００２６】
なお、磁気標識のための制御信号におけるパルスを送信する順序は、第１の実施の形態と同じであるため、ここでは省略する。また、その他の構成、動作に関しても、第１の実施の形態と同様であるため、ここでは省略する。
本実施の形態では、第１の実施の形態と同様、磁気標識を行う方法として、磁化のｋ空間での軌跡が３次元となるように傾斜磁場パルスを印加したことにより、３次元の磁気標識が可能である。また、第１の実施の形態と同様、磁気標識における各傾斜磁場パルスの印加時間が等間隔であるため、制御が容易である。また、第１の実施の形態と同様、磁気標識中におけるＲＦパルスは、略一定強度を維持することにより、ＲＦパルスを印加するタイミングを行う手段が必要ないため、より制御が容易なものとなる。また、特に、本実施の形態では、磁気標識を行う際の各傾斜磁場パルスの印加量を変化させる手段を設けたことにより、各方向によって励起領域の繰り返しピッチを変えることが可能である。
【００２７】
また、特に、本実施の形態では、パルスの印加量を変化させる手段として、パルスの大きさを変化させる方法としたことにより、パルスシーケンスを時間的に長くすることなく、磁気標識される領域を変更することができる。なお、パルスの印加量を変化させる手段としては、パルスの印加時間を変化させる方法としても良い。
なお、上記第１乃至第３の実施の形態においては、磁気標識を行う際に、ＲＦパルスを一定時間略一定強度で送信するものを示したが、傾斜磁場電源に送信される各パルス間にＲＦパルスを断続的に送信しても良い。ただし、断続的にＲＦパルスを送信する場合には、ＲＦパルスを送信するためのタイミングをとる手段が必要であるが、連続的にＲＦパルスを送信する場合には、特にタイミングをとる手段が不要であるため、ＲＦパルスを一定時間略一定強度で送信するとした方が、装置が簡易化される利点がある。
【００２８】
また、磁気標識における傾斜磁場パルスの大きさ、間隔、印加時間は、上記実施の形態に限定されず、ｋ空間において、磁化の軌跡が３次元となるようであればよい。
また、上述の実施の形態においては、磁気標識の際に磁化が描く軌跡を、特に立方体、直方体について示したが、球形あるいはその他の多面体も可能である。なお、上記実施の形態においては、特に円筒形のガントリについて説明したが、この他にも、静磁場を被検体Ｐの体軸方向に対して略垂直に印加するオープン型のガントリを用いた場合でも同様に可能である。
【００２９】
なお、本発明は、上記実施の形態同士を種々組みあせることも可能である。
【００３０】
【発明の効果】
以上詳細に説明したように、本発明によれば、３次元領域の磁気標識を行うことにより、より柔軟に臓器の動きや血液の流れ等を観察することのできるＭＲＩ装置を提供することができる。
【図面の簡単な説明】
【図１】本発明に係る第１の実施の形態におけるＭＲＩ装置の概略構成を示すブロック図である。
【図２】本発明に係る第１の実施の形態における磁気標識のための制御信号を示したグラフである。
【図３】本発明に係る第１の実施の形態における磁気標識のための制御信号下におけるｋ空間のグラフである。
【図４】本発明に係る第１の実施の形態における磁気標識される磁化Ｍの強度分布を示すグラフである。
【図５】本発明に係る第１の実施の形態における磁気標識される磁化ＭのＸ−Ｙ断面の強度分布を示すグラフである。
【図６】本発明に係る第２の実施の形態における磁気標識のための制御信号を示したグラフである。
【図７】本発明に係る第２の実施の形態における磁気標識のための制御信号下におけるｋ空間のグラフである。
【図８】本発明に係る第２の実施の形態における磁気標識される磁化Ｍの強度分布を示すグラフである。
【図９】本発明に係る第３の実施の形態における磁気標識のための制御信号を示したグラフである。
【図１０】本発明に係る第３の実施の形態における磁気標識のための制御信号下におけるｋ空間のグラフである。
【符号の説明】
１    静磁場磁石
２    傾斜磁場コイル
３    送受信コイル
５    送信器
６    受信器
７    Ｘ軸傾斜磁場電源
８    Ｙ軸傾斜磁場電源
９    Ｚ軸傾斜磁場電源
１０  入力部
１１  制御部
１２  表示部
【図１】
0004176989.tif 000003
【図２】
0004176989.tif 000004
【図３】
0004176989.tif 000005
【図４】
0004176989.tif 000006
【図５】
0004176989.tif 000007
【図６】
0004176989.tif 000008
【図７】
0004176989.tif 000009
【図８】
0004176989.tif 000010
【図９】
0004176989.tif 000011
【図１０】
0004176989.tif 000012